(57)【特許請求の範囲】
【請求項１】
経糸と緯糸とを交差状態に織って形成したボディータオルであって、
前記経糸として、モノフィラメント糸と、このモノフィラメント糸よりも太いマルチフィラメント太糸とを用い、
複数のモノフィラメント糸を並設したモノフィラメント糸群どうしの列間に、前記マルチフィラメント太糸を、無撚状態で配列して織ってあるボディータオル。
【請求項２】
前記マルチフィラメント太糸は、前記モノフィラメント糸の５〜６０倍の太さに形成されている請求項１に記載のボディータオル。
【請求項３】
多数の経糸を、繰り出し側から巻き取り側に亘って配置するにあたり、前記多数の経糸を異なる系毎に上下位置変更操作自在な綜絖と、前記綜絖によって上位置と下位置とに配置された前記経糸どうしの隙間に横方向に貫通させた緯糸を前記巻き取り側に寄せる筬とに挿通させておき、
前記綜絖による前記経糸の上下位置変更動作と、前記緯糸の横貫通動作と、前記筬による緯糸寄せ動作とを繰り返すことによってボディータオル生地を織るボディータオル織り方法であって、
前記筬の経糸挿通用スリットに、並列配置の複数のモノフィラメント糸からなるモノフィラメント糸群を挿通させると共に、それらのモノフィラメント糸群どうしの列間に位置する別の経糸挿通用スリットに、前記モノフィラメント糸よりも太いマルチフィラメント太糸を、無撚状態で挿通させてボディータオル生地を織るボディータオル織り方法。
【発明の詳細な説明】
【技術分野】
【０００１】
本発明は、経糸（たていと）と緯糸（よこいと）とを交差状態に織って形成したボディータオルに関し、また、多数の経糸を、繰り出し側から巻き取り側に亘って配置するにあたり、前記多数の経糸を異なる系毎に上下位置変更操作自在な綜絖（そうこう）と、前記綜絖によって上位置と下位置とに配置された前記経糸どうしの隙間に横方向に貫通させた緯糸を前記巻き取り側に寄せる筬（おさ）とに挿通させておき、前記綜絖による前記経糸の上下位置変更動作と、前記緯糸の横貫通動作と、前記筬による緯糸寄せ動作とを繰り返すことによってボディータオル生地を織るボディータオル織り方法に関する。
【背景技術】
【０００２】
従来、この種のボディータオルやボディータオル織り方法等のボディータオル技術としては、経糸としてモノフィラメント糸を用い、緯糸として繊度の異なるマルチフィラメント細糸とマルチフィラメント太糸とを、所定の間隔で繰り返して打ち込むものがあった
（例えば、特許文献１参照）。
因みに、モノフィラメント糸とは、１本のフィラメントから成る糸のことをいい、２本又はそれ以上のフィラメントから成る糸は、マルチフィラメント糸という。
【先行技術文献】
【特許文献】
【０００３】
【特許文献１】特開２００７−２６２６１５号公報（段落番号〔００１４〕、図１）
【発明の概要】
【発明が解決しようとする課題】
【０００４】
上述した従来のボディータオル技術によれば、緯糸として、太さの異なるマルチフィラメント細糸とマルチフィラメント太糸とを、ボディータオルの長手方向に間隔をあけて位置するように織ってあるから、緯糸の太さの差による凹凸が、ボディータオル表面の長手方向（経糸方向）に多数生じ、例えば、ボディータオルを、長手方向（経糸方向）に沿って往復運動させる状態で使用した場合、泡立ち易くなり、肌に前記凹凸が交互に当たることから刺激感が得られる特徴がある。
これは、例えば、背中を洗うような場合にも期待でき、ボディータオルを背中側にまわして、両端部をそれぞれ握り、ボディータオルを長手方向（経糸方向）に沿って往復運動させることで、前記凹凸が背中に交互に当たり、刺激感を得ることができる。
しかし、いつも同じ洗い方ではなく、時には、背骨に沿ってボディータオルを幅方向
（緯糸方向）に上下させて洗いたいような場合もあり、この洗い方においては、ボディータオルの前記凹凸は動かす方向（緯糸方向）に沿っているから、肌への刺激感が半減してしまう難点があった。
【０００５】
従って、本発明の目的は、上記問題点を解消し、ボディータオルを緯糸方向に沿って動かして洗う場合に、良好な泡立ち性や刺激感が得られるボディータオル技術を提供するところにある。
【課題を解決するための手段】
【０００６】
本発明の第１の特徴構成は、経糸と緯糸とを交差状態に織って形成したボディータオルであって、前記経糸として、モノフィラメント糸と、このモノフィラメント糸よりも太いマルチフィラメント太糸とを用い、複数のモノフィラメント糸を並設したモノフィラメント糸群どうしの列間に、前記マルチフィラメント太糸を、無撚状態で配列して織ってあるところにある。 
【０００７】
本発明の第１の特徴構成によれば、経糸として、モノフィラメント糸と、このモノフィラメント糸よりも太いマルチフィラメント太糸とを用い、複数のモノフィラメント糸を並設したモノフィラメント糸群どうしの列間に、前記マルチフィラメント太糸を配列して織ってあるから、マルチフィラメント太糸とモノフィラメント糸との太さの差による凹凸が、ボディータオル表面の幅方向（緯糸方向）に沿って多数生じる。従って、ボディータオルを幅方向（緯糸方向）に沿って往復運動させる状態で使用した場合、より泡立ち易くなり、肌に前記凹凸が交互に当たることから良好な刺激感が得られる。
これは、例えば、ボディータオルの両端部を両手で握りながら体の後にまわして横配置にし、両手を上下方向に往復移動させる動作によって背中を洗うような場合に特に有効である。このような洗い動作によって、背骨に沿った方向で前記凹凸が背中に交互にあたり、今まででは得ることができなかった刺激感が得られる。
【０００８】
更には、マルチフィラメント太糸は、無撚状態でモノフィラメント糸群どうしの列間に配列されるから、マルチフィラメント太糸、及び、それを形成する各フィラメントの風合いを維持したまま、ボディータオルを織り上げることができる。
一般的に、糸は、撚られることで全体的に締め付けられて縮径し、繊維の毛羽立ち等が抑えられる。その結果、外径のバラツキは少なくなるが、フィラメントの風合いは減少する。
本発明によれば、マルチフィラメント太糸は、無撚状態で使用されるから、ボディータオルの前記凹凸の内の凸部に相当するマルチフィラメント太糸そのものが、フィラメントそれぞれの風合いを維持し、繊維の毛羽立ちや、外径のバラツキが、そのまま活かされ、肌に摺れる時の刺激感を、より高めることができる。
また、マルチフィラメント太糸の外径のバラツキが、撚り合わしたものに比べて大きいから、経糸方向での凹凸も大きくなり、ボディータオルを長手方向（経糸方向）に沿って往復運動させる場合にも、その凹凸が背中に交互に当たって、良好な刺激感を得ることができる。
その結果、ボディータオルを幅方向（緯糸方向）に沿って動かして洗う時のみに限らず、長手方向（経糸方向）に沿って動かして洗う時にも、良好な刺激感を得ることができる。 
【０００９】
また、マルチフィラメント太糸は、ボディータオルの表面で、幅方向に間隔をあけて長手方向に伸びるラインとして表れるから、無地のボディータオルに比べて意匠感の向上を図ることができる。
【００１０】
尚、本発明の特徴においては、特に、緯糸の構成について詳細を限定するものではないが、例えば、ボディータオルの長手方向に凹凸が連続するように緯糸の選択や配列を追加すれば、ボディータオルの幅方向（緯糸方向）での凹凸と、長手方向（経糸方向）での凹凸との両方が相乗的に作用し、ボディータオルを何れの方向に動かして洗おうとも、何れかの凹凸が肌に当たり、良好な泡立ち性や刺激感が得られる。
【００１１】
本発明の第２の特徴構成は、前記マルチフィラメント太糸は、前記モノフィラメント糸の５〜６０倍の太さに形成されているところにある。
【００１２】
本発明の第２の特徴構成によれば、前記マルチフィラメント太糸は、前記モノフィラメント糸の５〜６０倍の太さに形成されているから、当該ボディータオルで肌を洗った際に、モノフィラメント糸群とマルチフィラメント太糸との落差による凹凸で、より好ましい刺激感が得られる。
尚、前記マルチフィラメント太糸が、前記モノフィラメント糸の５倍未満の外径の場合は、モノフィラメント糸群とマルチフィラメント太糸との落差が少なすぎて、刺激感が少ない。また、６０倍を超える場合は、繊維としての自然観が損なわれ、取扱い難くなる。
【００１３】
本発明の第３の特徴構成は、多数の経糸を、繰り出し側から巻き取り側に亘って配置するにあたり、前記多数の経糸を異なる系毎に上下位置変更操作自在な綜絖と、前記綜絖によって上位置と下位置とに配置された前記経糸どうしの隙間に横方向に貫通させた緯糸を前記巻き取り側に寄せる筬とに挿通させておき、前記綜絖による前記経糸の上下位置変更動作と、前記緯糸の横貫通動作と、前記筬による緯糸寄せ動作とを繰り返すことによってボディータオル生地を織るボディータオル織り方法であって、前記筬の経糸挿通用スリットに、並列配置の複数のモノフィラメント糸からなるモノフィラメント糸群を挿通させると共に、それらのモノフィラメント糸群どうしの列間に位置する別の経糸挿通用スリットに、前記モノフィラメント糸よりも太いマルチフィラメント太糸を、無撚状態で挿通させてボディータオル生地を織るところにある。 
【００１４】
本発明の第３の特徴構成によれば、経糸と緯糸とで織られるボディータオルとして、前記経糸が、複数のモノフィラメント糸を並設したモノフィラメント糸群と、それらの列間に、無撚状態の前記マルチフィラメント太糸とが配列されたボディータオル生地を、効率的に織ることができる。
このようにして織られたボディータオルは、マルチフィラメント太糸とモノフィラメント糸との太さの差による凹凸が、ボディータオル表面の幅方向（緯糸方向）に沿って多数生じ、ボディータオルの幅方向（緯糸方向）に沿って往復運動させる状態で使用した場合、より泡立ち易くなり、肌に前記凹凸が交互に当たることから良好な刺激感が得られる。
これは、例えば、ボディータオルの両端部を両手で握りながら体の後にまわして横配置にし、両手を上下方向に往復移動させる動作によって背中を洗うような場合に特に有効である。このような洗い動作によって、背骨に沿った方向で前記凹凸が背中に交互にあたり、今まででは得ることができなかった刺激感が得られる。 
【００１５】
更には、マルチフィラメント太糸は、無撚状態でモノフィラメント糸群どうしの列間に配列されるから、マルチフィラメント太糸、及び、それを形成する各フィラメントの風合いを維持し、繊維の毛羽立ちや、外径のバラツキが、そのまま活かされ、肌に摺れる時の刺激感を、より高めることができる。
また、マルチフィラメント太糸の外径のバラツキが、撚ったものに比べて大きいから、経糸方向での凹凸も大きくなり、ボディータオルを長手方向（経糸方向）に沿って往復運動させる場合にも、その凹凸が背中に交互に当たって、良好な刺激感を得ることができる。
その結果、ボディータオルを幅方向（緯糸方向）に沿って動かして洗う時のみに限らず、長手方向（経糸方向）に沿って動かして洗う時にも、良好な刺激感を得ることができる。
【００１６】
また、マルチフィラメント太糸は、ボディータオルの表面で、幅方向に間隔をあけて長手方向に伸びるラインとして表れるから、無地のボディータオルに比べて意匠感の向上を図ることができる。
【００１７】
尚、本発明の特徴においては、特に、緯糸の打ち込みについて詳細を限定するものではないが、例えば、ボディータオルの長手方向に凹凸が連続するように緯糸の選択や配列を追加すれば、ボディータオルの幅方向（緯糸方向）での凹凸と、長手方向（経糸方向）での凹凸との両方が相乗的に作用し、ボディータオルを何れの方向に動かして洗おうとも、何れかの凹凸が肌に当たり、良好な泡立ち性や刺激感が得られるボディータオルを形成することができるようになる。
【図面の簡単な説明】
【００１８】
【図１】ボディータオルを示す斜視図
【図２】織り装置を示す模式図
【図３】経糸挿通用スリットでの各糸の配置状況を示す筬の前面図
【図４】経糸と緯糸との織り状況を示すボディータオルの横断面図
【図５】別実施形態のボディータオルを示す斜視図
【発明を実施するための形態】
【００１９】
以下に本発明の実施の形態を図面に基づいて説明する。
【００２０】
図１は、本発明のボディータオルの一実施形態品を示すもので、ボディータオルＴは、経糸Ｖと緯糸Ｈとを交差状態に織って、経糸Ｖ方向に細長い長方形に形成してある。
前記経糸Ｖとして、図４に示すように、合成樹脂製のモノフィラメント糸１ａと、このモノフィラメント糸１ａよりも太い合成樹脂製のマルチフィラメント太糸２とを用いて形成してある。
前記緯糸Ｈは、縮れ加工を施した合成樹脂製のマルチフィラメント糸３によって構成してある。
糸を構成する合成樹脂は、例えば、ポリアミド系樹脂や、ポリエステル樹脂や、他の合成樹脂等を選択することができる。
【００２１】
前記経糸Ｖの配列は、図１に示すように、モノフィラメント糸１ａを並設したモノフィラメント糸群１の複数列（例えば、５列）と、前記マルチフィラメント太糸２の複数列
（例えば、２列）とを交互に繰り返した配列に設定されている。
【００２２】
モノフィラメント糸１ａは、例えば、３０デニールの太さのものを使用し、当該実施形態においては、図３に示すように、１２本のモノフィラメント糸１ａを、後述する筬８の経糸挿通用スリット８ａの一つにまとめて挿入することによって、一群となったモノフィラメント糸群１が構成されている。
【００２３】
マルチフィラメント太糸２は、複数のモノフィラメント糸２ａから構成されている。
マルチフィラメント太糸２としては、例えば、３００デニールの太さのものを使用できる。
【００２４】
以上のように、当該実施形態のボディータオルＴにおいては、経糸Ｖにおけるマルチフィラメント太糸２は、モノフィラメント糸群１を構成するモノフィラメント糸１ａの１０倍の太さのものが用いられている。このことによって、ボディータオルＴの表面には、幅方向（緯糸方向）に、マルチフィラメント太糸２とモノフィラメント糸群１との太さの差に基づいた凹凸が形成され、肌を洗う時に、この凹凸が触れることで、良好な刺激感を生み出すことができる。
また、マルチフィラメント太糸２は、無撚状態又は略無撚状態で配列されているから、モノフィラメント糸２ａのそれぞれの風合いを残した状態の太糸となっており、例えば、一本ずつの毛羽立ちや、不揃いな外径や、曲がり等の影響で、更に良好な刺激感を生み出すことができる。尚、このような作用効果は、マルチフィラメント太糸２を、上述の条件（無撚状態又は略無撚状態）に加えて、糊付けを施さない状態で配列すれば、更に好ましい状態で発揮することができる。
一方、緯糸Ｈのマルチフィラメント糸３は、縮れ加工を施されているから、伸縮性や弾力性に富み、前記マルチフィラメント太糸２の場合と一味違った軟らかな感触を肌に与えることができる。
【００２５】
ボディータオルＴの織り装置４の一例について説明する。
織り装置４は、図２に示すように、経糸Ｖを繰り出し自在に巻き取り保持してある繰り出しロール５と、繰り出しロール５からの多数の経糸Ｖに緯糸Ｈを打ち込んで織られたボディータオルＴを巻き取る巻き取りロール６と、繰り出しロール５から巻き取りロール６にかけて張り渡された多数の経糸Ｖを異なる系毎に上下位置変更操作自在な綜絖７と、綜絖７によって上位置と下位置とに配置された前記経糸Ｖどうしの隙間Ｓに横方向に貫通させた緯糸Ｈを巻き取りロール６側に寄せる筬８とを備えて構成してある。
【００２６】
繰り出しロール５は、経糸Ｖの各マルチフィラメント太糸２を繰り出し自在に巻き取った第１繰り出しロール５ａと、経糸Ｖの各モノフィラメント糸１ａを繰り出し自在に巻き取った第２繰り出しロール５ｂとを設けてある。太さの異なる糸を同一のロールに巻き取ると、それぞれの糸芯での巻き取り半径に差が付いており、ロールの１回転による繰り出し長さが異なる結果となり、太径の糸に弛みが生じる虞がある。よって、太さの異なる２種類の糸を、二つのロールに各別に巻き取っておくことで、この問題を解消している。
【００２７】
筬８は、図３に示すように、経糸Ｖを挿通自在な多数の経糸挿通用スリット８ａを、ボディータオルＴの幅方向に連設して構成してあり、ボディータオルＴの長手方向に沿って移動操作自在に支持されている。
当該実施形態においては、経糸挿通用スリット８ａのスリット幅寸法を、前記マルチフィラメント太糸２やモノフィラメント糸群１をそれぞれ挿通させることができるように、通常の織り装置に使用される筬より大きく設定してある。
そして、各経糸挿通用スリット８ａの一つの目には、図３に示すように、モノフィラメント糸１ａの１２本、又は、マルチフィラメント太糸２の２本を挿通させて布を織っている。
【００２８】
次に、上述の織り装置４を使用したボディータオルＴの織り方法について説明する。
図２に示すように、多数の経糸Ｖを、繰り出しロール５から巻き取りロール６に亘って配置するにあたり、綜絖７と、筬８とに挿通させておき、綜絖７による経糸Ｖの上下位置変更動作と、前記隙間Ｓへの緯糸Ｈの横貫通動作と、筬８による緯糸寄せ動作とを繰り返すことによってボディータオル生地を織ることができる（図４参照）。
また、筬８の経糸挿通用スリット８ａに、並列配置の複数のモノフィラメント糸１ａからなるモノフィラメント糸群１を挿通させると共に、それらのモノフィラメント糸群１どうしの列間に位置する別の経糸挿通用スリット８ａに、前記モノフィラメント糸１ａよりも太いマルチフィラメント太糸２を、無撚状態又は略無撚状態で、且つ、糊付けを施さない状態で挿通させてボディータオル生地の織り作業を行う。
【００２９】
本実施形態のボディータオル技術によれば、マルチフィラメント太糸２によるストライプ模様が、ボディータオルＴとしての良好な意匠性を生み出していると共に、マルチフィラメント太糸２とモノフィラメント糸１ａとの太さの差による凹凸によって、洗う時に良好な刺激感を得ることができる。
【００３０】
〔別実施形態〕
以下に他の実施の形態を説明する。
【００３１】
〈１〉  前記ボディータオルは、先の実施形態で説明した経糸Ｖのモノフィラメント１ａとマルチフィラメント太糸２、及び、緯糸Ｈのみで織り上げる構成に限るものではなく、例えば、天然繊維や、紡績糸等を含めて織ってあってもよい。
また、モノフィラメント１ａやマルチフィラメント太糸２、及び、緯糸Ｈの各材質は、先の実施形態で説明したポリアミド系樹脂や、ポリエステル樹脂によることに限らず、他の合成樹脂も含めて広い範囲から材料選択することができる。
〈２〉  前記経糸Ｖのモノフィラメント１ａやマルチフィラメント太糸２の太さに関しては、先の実施形態で説明した数値に限るものではない。従って、それぞれの糸についての太さは、特に規定されるものではなく、要するに、マルチフィラメント太糸２は、モノフィラメント１ａより太ければよい。
〈３〉  前記モノフィラメント糸群１は、先の実施形態で説明した１２本のモノフィラメント糸１ａで構成されるものに限るものではなく、複数本であれば任意の本数を設定することができる。
また、筬８の一つの経糸挿通用スリット８ａに挿通させる各糸の本数も、モノフィラメント糸１ａが１２本、マルチフィラメント太糸２が２本に限るものではなく、任意の値に変更することが可能である。
〈４〉  前記経糸Ｖの配列は、モノフィラメント糸１ａを並設したモノフィラメント糸群１の５列と、前記マルチフィラメント太糸２の２列とを交互に繰り返した配列に限定されるものではなく、任意の値に変更することができる。
〈５〉  前記緯糸Ｈは、先の実施形態で説明した縮れ加工を施されたマルチフィラメント糸３に限るものではなく、例えば、縮れ加工を施してないマルチフィラメント糸で構成したり、マルチフィラメント糸に替えてモノフィラメント糸で構成してあってもよい。
更には、太さの異なる複数種の糸を、ボディータオルＴの長手方向（経糸方向）に間隔をあけて配列するものであってもよい。この場合も、材質や太さ等は、任意に設定することができる。
その一例を、図５に示すボディータオルＴを例に挙げて説明する。
このボディータオルＴの経糸Ｖは、先の実施形態の場合と同様の仕様を採用している。
また、ボディータオルＴの緯糸Ｈは、先の実施形態で説明した縮れ加工を施したマルチフィラメント糸３に加えて、無撚状態又は略無撚状態で、且つ、糊付けを施さない状態で配列したマルチフィラメント太糸１０、及び、マルチフィラメント中太糸１１を使用している。
このボディータオルＴにおいては、長手方向（経糸方向）に隣接させて、マルチフィラメント太糸１０の緯糸Ｈを複数列織り込み、続いて、マルチフィラメント糸３の緯糸Ｈを複数列織り込み、続いて、マルチフィラメント中太糸１１の緯糸Ｈを数列織り込み、続いて、マルチフィラメント糸３の緯糸Ｈを複数列織り込み、このサイクルの繰り返しによって形成してある。
因みに、マルチフィラメント中太糸１１は、マルチフィラメント糸３より太く、且つ、マルチフィラメント太糸１０よりも細い仕様で形成されている。
一例としては、マルチフィラメント糸３は、１００〜５００デニール、マルチフィラメント中太糸１１は、３００〜８００デニール、マルチフィラメント太糸１０は、５００〜２０００デニールの値が、ボディータオルＴとして適度な刺激感が得られる点で好ましい。
【００３２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３３】
１      モノフィラメント糸群
１ａ    モノフィラメント糸
２      マルチフィラメント太糸
７      綜絖
８      筬
８ａ    経糸挿通用スリット
Ｈ      緯糸
Ｓ      隙間
Ｖ      経糸
【図１】
0005999690.tif 000002
【図２】
0005999690.tif 000003
【図３】
0005999690.tif 000004
【図４】
0005999690.tif 000005
【図５】
0005999690.tif 000006